(57)【要約】【課題】複数の辞書コンテンツを搭載している電子装置で、見出し語からユーザが所望する適切な辞書コンテンツを容易に選択して当該見出し語の検索を実行する。【解決手段】複数の見出し語と、当該見出し語に対応する辞書情報とを有する辞書コンテンツを複数記憶する辞書データベース12ａと、ユーザ操作に応じて文字列を入力する入力部17と、入力された文字列を含む見出し語を記憶部12ａから検索し、当該見出し語を有する辞書コンテンツに対応する辞書名情報を表示部18で一覧表示させ、表示させた任意の辞書名情報からユーザ操作に応じて辞書名情報を選択し、文字列を含む見出し語のうち選択した辞書名情報に対応する辞書コンテンツが有する見出し語を表示部18で一覧表示させ、任意の見出し語をユーザ操作に選択させ、選択させた見出し語に対応する辞書情報を表示部18に表示させるＣＰＵ11、各種処理プログラム12ｂ及び作業部16とを備える。【選択図】図１
2010204944.tif 000002
【特許請求の範囲】
【請求項１】
複数の見出し語と、当該見出し語に対応する辞書情報とを有する辞書コンテンツを複数記憶する複数辞書記憶手段と、
ユーザ操作に応じて文字列を入力する文字列入力手段と、
上記文字列入力手段で入力された文字列を含む見出し語を上記複数辞書記憶手段から検索し、当該見出し語を有する辞書コンテンツに対応する辞書名情報を一覧表示する辞書名情報一覧表示手段と、
上記辞書名情報一覧表示手段で表示した任意の辞書名情報をユーザ操作に応じて選択する辞書名情報選択手段と、
上記文字列を含む見出し語のうち上記辞書名情報選択手段で選択した辞書名情報に対応する辞書コンテンツが有する見出し語を一覧表示する見出し語一覧表示手段と、
上記見出し語一覧表示で表示した任意の見出し語をユーザ操作に応じて選択する見出し語選択手段と、
上記見出し語選択手段で選択した見出し語に対応する辞書情報を表示する辞書情報表示手段と、
を備えたことを特徴とする辞書機能を備えた電子装置。
【請求項２】
上記辞書名情報一覧表示手段は、上記文字列入力手段で文字列が入力される過程に応じて順次辞書名情報の一覧表示を更新することを特徴とする請求項１記載の辞書機能を備えた電子装置。
【請求項３】
上記辞書名情報一覧表示手段は、上記文字列入力手段で入力される文字列と先頭から一致する見出し語を上記複数辞書記憶手段から検索することを特徴とする請求項１記載の辞書機能を備えた電子装置。
【請求項４】
複数の見出し語と、当該見出し語に対応する辞書情報とを有する辞書コンテンツを複数記憶する複数辞書記憶手段と、
上記複数辞書記憶手段で記憶する任意の見出し語に対応する辞書情報を表示する第１の辞書情報表示手段と、
上記第１の辞書情報表示手段で表示した辞書情報を有する辞書コンテンツ以外で、当該辞書情報に対応する見出し語と同一の見出し語を有する辞書コンテンツの辞書名情報を一覧表示する辞書名情報一覧表示手段と、
上記辞書名情報一覧表示手段で表示した任意の辞書名情報をユーザ操作に応じて選択する辞書名情報選択手段と、
上記辞書名情報選択手段で選択した辞書名情報に対応する辞書コンテンツが有する上記同一の見出し語に対応する辞書情報を表示する第２の辞書情報表示手段と、
を備えたことを特徴とする辞書機能を備えた電子装置。
【請求項５】
複数の見出し語と、当該見出し語に対応する辞書情報とを有する辞書コンテンツを複数記憶する複数辞書記憶手段と、
ユーザ操作に応じて文字列を入力する文字列入力手段と、
上記文字列入力手段で入力された文字列を含む見出し語を上記複数辞書記憶手段から検索し、当該見出し語を有する辞書コンテンツに対応する辞書名情報を一覧表示する第１の辞書名情報一覧表示手段と、
上記第１の辞書名情報一覧表示手段で表示した任意の辞書名情報をユーザ操作に応じて選択する第１の辞書名情報選択手段と、
上記文字列を含む見出し語のうち上記第１の辞書名情報選択手段で選択した辞書名情報に対応する辞書コンテンツが有する見出し語を一覧表示する第１の見出し語一覧表示手段と、
上記第１の見出し語一覧表示で表示した任意の見出し語をユーザ操作に応じて選択する第１の見出し語選択手段と、
上記第１の見出し語選択手段で選択した見出し語に対応する辞書情報を表示する第１の辞書情報表示手段と、
上記第１の辞書情報表示手段で表示した辞書情報を有する辞書コンテンツ以外で、当該辞書情報に対応する見出し語と同一の見出し語を有する辞書コンテンツの辞書名情報を一覧表示する第２の辞書名情報一覧表示手段と、
上記第２の辞書名情報一覧表示手段で表示した任意の辞書名情報をユーザ操作に応じて選択する第２の辞書名情報選択手段と、
上記第２の辞書名情報選択手段で選択した辞書名情報に対応する辞書コンテンツが有する上記同一の見出し語に対応する辞書情報を表示する第２の辞書情報表示手段と、
を備えたことを特徴とする辞書機能を備えた電子装置。
【請求項６】
上記辞書名情報は、辞書名を図柄化したアイコンであることを特徴とする請求項１，４及び５いずれかに記載の辞書機能を備えた電子装置。
【請求項７】
複数の見出し語と、当該見出し語に対応する辞書情報とを有する辞書コンテンツを複数記憶した複数辞書記憶手段を備えた電子装置のコンピュータを制御するためのプログラムであって、
上記コンピュータを、
ユーザ操作に応じて文字列を入力する文字列入力手段、
上記文字列入力手段で入力された文字列を含む見出し語を上記複数辞書記憶手段から検索し、当該見出し語を有する辞書コンテンツに対応する辞書名情報を一覧表示する辞書名情報一覧表示手段、
上記辞書名情報一覧表示手段で表示した任意の辞書名情報をユーザ操作に応じて選択する辞書名情報選択手段、
上記文字列を含む見出し語のうち上記辞書名情報選択手段で選択した辞書名情報に対応する辞書コンテンツが有する見出し語を一覧表示する見出し語一覧表示手段、
上記見出し語一覧表示で表示した任意の見出し語をユーザ操作に応じて選択する見出し語選択手段、及び
上記見出し語選択手段で選択した見出し語に対応する辞書情報を表示する辞書情報表示手段、
として機能させるようにしたコンピュータ読み込み可能なプログラム。
【請求項８】
複数の見出し語と、当該見出し語に対応する辞書情報とを有する辞書コンテンツを複数記憶した複数辞書記憶手段を備えた電子装置のコンピュータを制御するためのプログラムであって、
上記コンピュータを、
上記複数辞書記憶手段で記憶する任意の見出し語に対応する辞書情報を表示する第１の辞書情報表示手段、
上記第１の辞書情報表示手段で表示した辞書情報を有する辞書コンテンツ以外で、当該辞書情報に対応する見出し語と同一の見出し語を有する辞書コンテンツの辞書名情報を一覧表示する辞書名情報一覧表示手段、
上記辞書名情報一覧表示手段で表示した任意の辞書名情報をユーザ操作に応じて選択する辞書名情報選択手段、及び
上記辞書名情報選択手段で選択した辞書名情報に対応する辞書コンテンツが有する上記同一の見出し語に対応する辞書情報を表示する第２の辞書情報表示手段、
として機能させるようにしたコンピュータ読み込み可能なプログラム。
【請求項９】
複数の見出し語と、当該見出し語に対応する辞書情報とを有する辞書コンテンツを複数記憶した複数辞書記憶手段を備えた電子装置のコンピュータを制御するためのプログラムであって、
上記コンピュータを、
ユーザ操作に応じて文字列を入力する文字列入力手段、
上記文字列入力手段で入力された文字列を含む見出し語を上記複数辞書記憶手段から検索し、当該見出し語を有する辞書コンテンツに対応する辞書名情報を一覧表示する第１の辞書名情報一覧表示手段、
上記第１の辞書名情報一覧表示手段で表示した任意の辞書名情報をユーザ操作に応じて選択する第１の辞書名情報選択手段、
上記文字列を含む見出し語のうち上記第１の辞書名情報選択手段で選択した辞書名情報に対応する辞書コンテンツが有する見出し語を一覧表示する第１の見出し語一覧表示手段、
上記第１の見出し語一覧表示で表示した任意の見出し語をユーザ操作に応じて選択する第１の見出し語選択手段、
上記第１の見出し語選択手段で選択した見出し語に対応する辞書情報を表示する第１の辞書情報表示手段、
上記第１の辞書情報表示手段で表示した辞書情報を有する辞書コンテンツ以外で、当該辞書情報に対応する見出し語と同一の見出し語を有する辞書コンテンツの辞書名情報を一覧表示する第２の辞書名情報一覧表示手段、
上記第２の辞書名情報一覧表示手段で表示した任意の辞書名情報をユーザ操作に応じて選択する第２の辞書名情報選択手段、
上記第２の辞書名情報選択手段で選択した辞書名情報に対応する辞書コンテンツが有する上記同一の見出し語に対応する辞書情報を表示する第２の辞書情報表示手段、
として機能させるようにしたコンピュータ読み込み可能なプログラム。
【発明の詳細な説明】
【技術分野】
【０００１】
本発明は、複数の辞書コンテンツを搭載し辞書機能を備えた電子装置及びプログラムに関する。
【背景技術】
【０００２】
電子辞書装置で複数の辞書コンテンツを備えたものが増えており、それら複数の辞書コンテンツを対象にして同時に見出し語を検索する、所謂複数辞書見出し語検索モードを備えた技術が考えられている。（例えば、特許文献１）
【先行技術文献】
【特許文献】
【０００３】
【特許文献１】特開２０００−０９９５２２号公報
【発明の概要】
【発明が解決しようとする課題】
【０００４】
しかしながら上記した複数辞書見出し語検索モードでは、見出し語の候補が一括して表示される。そのため、搭載する辞書コンテンツの数が増えるにつれて、表示容量が制限されている画面が繁雑で見づらいものとなり、ユーザが所望する辞書コンテンツを選択することが困難となるという不具合があった。
【０００５】
この点は、一旦辞書コンテンツを選択してその辞書コンテンツでの見出し語に対応する辞書情報を表示させた際、同一の見出し語を他の辞書コンテンツでも確認したいと考えた場合にさらに顕著となる。
【０００６】
すなわち、複数辞書見出し語検索モードで再度はじめから同一の見出し語の候補を一括して表示させた場合、すでに内容を確認している辞書コンテンツも他の辞書コンテンツと同様に取扱われて再度表示されるため、ユーザにとっては不必要な辞書コンテンツが表示される結果となり、表示容量が限られている画面が無駄に使用されることになる。
【０００７】
本発明は上記のような実情に鑑みてなされたもので、その目的とするところは、複数の辞書コンテンツを搭載している電子装置で、見出し語からユーザが所望する適切な辞書コンテンツを容易に選択して当該見出し語の検索を実行することが可能な辞書機能を備えた電子装置及びプログラムを提供することにある。
【課題を解決するための手段】
【０００８】
請求項１記載の辞書機能を備えた電子装置は、複数の見出し語と、当該見出し語に対応する辞書情報とを有する辞書コンテンツを複数記憶する複数辞書記憶手段と、ユーザ操作に応じて文字列を入力する文字列入力手段と、上記文字列入力手段で入力された文字列を含む見出し語を上記複数辞書記憶手段から検索し、当該見出し語を有する辞書コンテンツに対応する辞書名情報を一覧表示する辞書名情報一覧表示手段と、上記辞書名情報一覧表示手段で表示した任意の辞書名情報をユーザ操作に応じて選択する辞書名情報選択手段と、上記文字列を含む見出し語のうち上記辞書名情報選択手段で選択した辞書名情報に対応する辞書コンテンツが有する見出し語を一覧表示する見出し語一覧表示手段と、上記見出し語一覧表示で表示した任意の見出し語をユーザ操作に応じて選択する見出し語選択手段と、上記見出し語選択手段で選択した見出し語に対応する辞書情報を表示する辞書情報表示手段と、を備えたことを特徴としている。
【０００９】
請求項２記載の辞書機能を備えた電子装置は、上記請求項１記載の辞書機能を備えた電子装置において、上記辞書名情報一覧表示手段は、上記文字列入力手段で文字列が入力される過程に応じて順次辞書名情報の一覧表示を更新することを特徴としている。
【００１０】
請求項３記載の辞書機能を備えた電子装置は、上記請求項１記載の辞書機能を備えた電子装置において、上記辞書名情報一覧表示手段は、上記文字列入力手段で入力される文字列と先頭から一致する見出し語を上記複数辞書記憶手段から検索することを特徴としている。
【００１１】
請求項４記載の辞書機能を備えた電子装置は、複数の見出し語と、当該見出し語に対応する辞書情報とを有する辞書コンテンツを複数記憶する複数辞書記憶手段と、上記複数辞書記憶手段で記憶する任意の見出し語に対応する辞書情報を表示する第１の辞書情報表示手段と、上記第１の辞書情報表示手段で表示した辞書情報を有する辞書コンテンツ以外で、当該辞書情報に対応する見出し語と同一の見出し語を有する辞書コンテンツの辞書名情報を一覧表示する辞書名情報一覧表示手段と、上記辞書名情報一覧表示手段で表示した任意の辞書名情報をユーザ操作に応じて選択する辞書名情報選択手段と、上記辞書名情報選択手段で選択した辞書名情報に対応する辞書コンテンツが有する上記同一の見出し語に対応する辞書情報を表示する第２の辞書情報表示手段と、を備えたことを特徴としている。
【００１２】
請求項５記載の辞書機能を備えた電子装置は、複数の見出し語と、当該見出し語に対応する辞書情報とを有する辞書コンテンツを複数記憶する複数辞書記憶手段と、ユーザ操作に応じて文字列を入力する文字列入力手段と、上記文字列入力手段で入力された文字列を含む見出し語を上記複数辞書記憶手段から検索し、当該見出し語を有する辞書コンテンツに対応する辞書名情報を一覧表示する第１の辞書名情報一覧表示手段と、上記第１の辞書名情報一覧表示手段で表示した任意の辞書名情報をユーザ操作に応じて選択する第１の辞書名情報選択手段と、上記文字列を含む見出し語のうち上記第１の辞書名情報選択手段で選択した辞書名情報に対応する辞書コンテンツが有する見出し語を一覧表示する第１の見出し語一覧表示手段と、上記第１の見出し語一覧表示で表示した任意の見出し語をユーザ操作に応じて選択する第１の見出し語選択手段と、上記第１の見出し語選択手段で選択した見出し語に対応する辞書情報を表示する第１の辞書情報表示手段と、上記第１の辞書情報表示手段で表示した辞書情報を有する辞書コンテンツ以外で、当該辞書情報に対応する見出し語と同一の見出し語を有する辞書コンテンツの辞書名情報を一覧表示する第２の辞書名情報一覧表示手段と、上記第２の辞書名情報一覧表示手段で表示した任意の辞書名情報をユーザ操作に応じて選択する第２の辞書名情報選択手段と、上記第２の辞書名情報選択手段で選択した辞書名情報に対応する辞書コンテンツが有する上記同一の見出し語に対応する辞書情報を表示する第２の辞書情報表示手段と、を備えたことを特徴としている。
【００１３】
請求項６記載の辞書機能を備えた電子装置は、上記請求項１，４及び５いずれかに記載の辞書機能を備えた電子装置において、上記辞書名情報は、辞書名を図柄化したアイコンであることを特徴としている。
【００１４】
請求項７記載のプログラムは、複数の見出し語と、当該見出し語に対応する辞書情報とを有する辞書コンテンツを複数記憶した複数辞書記憶手段を備えた電子装置のコンピュータを制御するためのプログラムであって、上記コンピュータを、ユーザ操作に応じて文字列を入力する文字列入力手段、上記文字列入力手段で入力された文字列を含む見出し語を上記複数辞書記憶手段から検索し、当該見出し語を有する辞書コンテンツに対応する辞書名情報を一覧表示する辞書名情報一覧表示手段、上記辞書名情報一覧表示手段で表示した任意の辞書名情報をユーザ操作に応じて選択する辞書名情報選択手段、上記文字列を含む見出し語のうち上記辞書名情報選択手段で選択した辞書名情報に対応する辞書コンテンツが有する見出し語を一覧表示する見出し語一覧表示手段、上記見出し語一覧表示で表示した任意の見出し語をユーザ操作に応じて選択する見出し語選択手段、及び上記見出し語選択手段で選択した見出し語に対応する辞書情報を表示する辞書情報表示手段、として機能させることを特徴としている。
【００１５】
請求項８記載のプログラムは、複数の見出し語と、当該見出し語に対応する辞書情報とを有する辞書コンテンツを複数記憶した複数辞書記憶手段を備えた電子装置のコンピュータを制御するためのプログラムであって、上記コンピュータを、上記複数辞書記憶手段で記憶する任意の見出し語に対応する辞書情報を表示する第１の辞書情報表示手段、上記第１の辞書情報表示手段で表示した辞書情報を有する辞書コンテンツ以外で、当該辞書情報に対応する見出し語と同一の見出し語を有する辞書コンテンツの辞書名情報を一覧表示する辞書名情報一覧表示手段、上記辞書名情報一覧表示手段で表示した任意の辞書名情報をユーザ操作に応じて選択する辞書名情報選択手段、及び上記辞書名情報選択手段で選択した辞書名情報に対応する辞書コンテンツが有する上記同一の見出し語に対応する辞書情報を表示する第２の辞書情報表示手段、として機能させることを特徴としている。
【００１６】
請求項９記載のプログラムは、複数の見出し語と、当該見出し語に対応する辞書情報とを有する辞書コンテンツを複数記憶した複数辞書記憶手段を備えた電子装置のコンピュータを制御するためのプログラムであって、上記コンピュータを、ユーザ操作に応じて文字列を入力する文字列入力手段、上記文字列入力手段で入力された文字列を含む見出し語を上記複数辞書記憶手段から検索し、当該見出し語を有する辞書コンテンツに対応する辞書名情報を一覧表示する第１の辞書名情報一覧表示手段、上記第１の辞書名情報一覧表示手段で表示した任意の辞書名情報をユーザ操作に応じて選択する第１の辞書名情報選択手段、上記文字列を含む見出し語のうち上記第１の辞書名情報選択手段で選択した辞書名情報に対応する辞書コンテンツが有する見出し語を一覧表示する第１の見出し語一覧表示手段、上記第１の見出し語一覧表示で表示した任意の見出し語をユーザ操作に応じて選択する第１の見出し語選択手段、上記第１の見出し語選択手段で選択した見出し語に対応する辞書情報を表示する第１の辞書情報表示手段、上記第１の辞書情報表示手段で表示した辞書情報を有する辞書コンテンツ以外で、当該辞書情報に対応する見出し語と同一の見出し語を有する辞書コンテンツの辞書名情報を一覧表示する第２の辞書名情報一覧表示手段、上記第２の辞書名情報一覧表示手段で表示した任意の辞書名情報をユーザ操作に応じて選択する第２の辞書名情報選択手段、上記第２の辞書名情報選択手段で選択した辞書名情報に対応する辞書コンテンツが有する上記同一の見出し語に対応する辞書情報を表示する第２の辞書情報表示手段、として機能させることを特徴としている。
【発明の効果】
【００１７】
本発明によれば、複数の辞書コンテンツを搭載している電子装置で、見出し語からユーザが所望する適切な辞書コンテンツを容易に選択して当該見出し語の検索を実行することが可能となる。
【図面の簡単な説明】
【００１８】
【図１】本発明の一実施形態に係る電子辞書装置の機能回路構成を示すブロック図。
【図２】同実施形態に係る複数辞書見出し語検索モード及び単数辞書見出し語検索モードでの処理全体の内容を示すフローチャート。
【図３】同実施形態に係る図２の辞書名絞り込み処理(Ｓ１０２)のサブルーチンを示すフローチャート。
【図４】同実施形態に係る図２の選択辞書見出し語検索処理(Ｓ１０４)のサブルーチンを示すフローチャート。
【図５】同実施形態に係る図２の第１の選択見出し語表示処理(Ｓ１０６)のサブルーチンを示すフローチャート。
【図６】同実施形態に係る図２の単数辞書見出し語検索処理(Ｓ１０８)のサブルーチンを示すフローチャート。
【図７】同実施形態に係る図２の第２の選択見出し語表示処理(Ｓ１０６)のサブルーチンを示すフローチャート。
【図８】同実施形態に係る複数辞書見出し語検索での表示画面の遷移状態を示す図。
【図９】同実施形態に係る複数辞書見出し語検索での表示画面の遷移状態を示す図。
【図１０】同実施形態に係る複数辞書見出し語検索での表示画面の遷移状態を示す図。
【図１１】同実施形態に係る複数辞書見出し語検索での表示画面の遷移状態を示す図。
【発明を実施するための形態】
【００１９】
以下図面を参照して本発明の一実施形態について説明する。
【００２０】
図１は、本発明の辞書機能を備えた電子装置の実施形態に係る電子辞書装置１０の電子回路の構成を示すブロック図である。
【００２１】
この辞書機能を備えた電子装置は、以下に説明する電子辞書専用の携帯機器（電子辞書装置１０）として構成されるか、あるいは辞書機能を備えたＰＤＡ（Ｐｅｒｓｏｎａｌ  Ｄｉｇｉｔａｌ  Ａｓｓｉｓｔａｎｔｓ：個人向け情報携帯端末）、ＰＣ（パーソナルコンピュータ）、携帯電話端末、電子ブック、携帯電子ゲーム装置等として構成される。
【００２２】
この電子辞書装置１０は、各種の記憶媒体に記録されたプログラム、または伝送されたプログラムを読み込んで、その読み込んだプログラムによって動作が制御されるコンピュータによって構成され、その電子回路には、ＣＰＵ１１が備えられる。
【００２３】
ＣＰＵ１１は、記憶部（フラッシュメモリ）１２内に予め記憶された装置制御プログラム、あるいはＲＯＭカードなどの記憶媒体１３から記憶媒体読み書き部１４を介して上記記憶装置１２に読み込まれた装置制御プログラム、あるいはインターネットＮ上のＷｅｂサーバ（この場合はプログラムサーバ）２０から通信制御部１５を介して上記記憶装置１２に読み込まれた装置制御プログラムに応じて、ＤＲＡＭで構成される作業部１６をメインメモリとして回路各部の動作を制御する。
【００２４】
上記記憶装置１２に記憶された装置制御プログラムは、入力部１７からのユーザ操作に応じた入力信号、あるいは通信制御部１５を介して接続されるインターネットＮ上の各Ｗｅｂサーバ２０…との通信信号、あるいは記憶媒体読み書き部１４を介して外部接続されるＥＥＰＲＯＭ，ＲＡＭ，ＲＯＭなどのメモリ・カード（記憶媒体）１３との接続通信信号に応じて起動される。
【００２５】
上記ＣＰＵ１１には、上記記憶部１２、記憶媒体読み書き部１４、通信制御部１５、作業部１６、及び入力部１７が接続される他に、表示部１８などが接続される。
【００２６】
記憶部１２が記憶する装置制御プログラムとしては、当該電子辞書装置１０の全体の動作を司るシステムプログラムや通信制御部１５を介してインターネットＮ上の各Ｗｅｂサーバ２０…や図示しないユーザＰＣなどとデータ通信するための通信プログラムの他に、詳細を後述する辞書データベース１２ａと、各種処理プログラム１２ｂとがある。
【００２７】
辞書データベース１２ａは、複数種類の辞書コンテンツ１２ａ１，１２ａ２，…と、上記各辞書コンテンツ１２ａ１，１２ａ２，…の名称を上記表示部１８で表示するための辞書名情報１２ａＮとを有する。
【００２８】
辞書コンテンツ１２ａ１，１２ａ２，…としては、例えば「国語辞典」「英和辞典」「英語類語辞典」「和英辞典」「海外旅行ひとこと辞典」「医学用語辞典」「医学用語略語辞典」「漢方薬辞典」「百科事典」など、種類の異なる辞書データが予め、あるいはダウンロードされて複数記憶される。
【００２９】
各辞書コンテンツ１２ｂ１，１２ｂ２，…は、それぞれの言語等に応じた所定の順番で配列された見出し語Ｗと、各見出し語Ｗに対応付けられた当該見出し語の訳語・意味内容・例文（用例）などを説明するための辞書情報Ｄを有する
辞書名情報１２ａＮは、上記辞書コンテンツ１２ａ１，１２ａ２，…それぞれと全辞書コンテンツとを表す操作ボタン用の簡略表示データであり、例えば「国語」「英和」「英語類語」「和英」「旅ひと」「医学」「医略語」「漢方薬」「百科」「全辞書」など所定の矩形領域に簡略化した文字列を配置した構成をとる。
【００３０】
各種処理プログラム１２ｂは、選択された辞書コンテンツでの検索文字列の入力に応じた見出し語検索処理と、指定の見出し語に対応した訳語・意味内容・例文（用例）などの各種説明情報の読み出し表示処理、また検索対象として選択された辞書コンテンツで入力した検索文字列を切替先の辞書コンテンツでの検索文字列として適切に引き継ぎ入力する処理など、上記辞書データベース１２ａに基づく検索処理全般を制御するためのプログラムである。
【００３１】
作業部１６は、表示部１８の表示画面に対応した表示データの記憶領域を有し、その表示画面に表示すべきデータがビットマップのパターンデータとして展開記憶される表示メモリ、上記各種処理プログラム１２ｂに従って入力部１７により入力された文字・数字・記号などの入力データが記憶保持される入力文字メモリ、辞書検索処理された見出し語や説明情報が記憶される検索結果メモリ、及び上記各種処理プログラム１２ｂに従いＣＰＵ１１に入出力される種々のデータが必要に応じて記憶されるワークメモリなどを備える。
【００３２】
入力部１７は、機能キー１７ａ、文字キー１７ｂ、認識キー１７ｃ、カーソルキー（上下左右移動キー）１７ｄ、決定キー１７ｅ、などの操作キーと、上記表示部１８上に一体に設けられた透明電極層によるタッチパネル１７ｆとを備える。
【００３３】
表示部１８は、上記辞書検索処理の過程において、入力された見出し語の文字列、辞書名の一覧、当該見出し語に対応した辞書情報などを表示する。
【００３４】
次に上記実施形態に係る辞書検索機能時の動作について説明する。  
図２は、複数辞書見出し語検索モード及び単数辞書見出し語検索モードでの処理全体の内容を示すフローチャートである。
【００３５】
電源が投入される動作当初に、まず複数辞書見出し語検索モードが設定されているか否かを、前回の電源切断時の状態を不揮発記憶した記憶部１２の内容によりシステムプログラム上で判断する（ステップＳ１０１）。
【００３６】
ここで複数辞書見出し語検索モードが設定されていると判断した場合、次いで文字入力と、その入力された文字列に基づいた辞書名情報の絞り込み処理に移行する（ステップＳ１０２）。
【００３７】
図３は、上記ステップＳ１０２の辞書名情報の絞り込み処理の詳細を示すサブルーチンである。
【００３８】
同図では、まず入力部１７の文字キー１７ｂにより１文字が入力されたか否かを判断する（ステップＳ２０１）。
【００３９】
文字入力があった場合、直ちに上記ステップＳ２０１でそれを判断して、検索文字列の最後尾に当該入力された文字を追加して表示する（ステップＳ２０２）。
【００４０】
次いで、追加した文字列を合わせた検索文字列と先頭が一致する見出し語Ｗを有している辞書コンテンツ１２ａ１，１２ａ２，…を検索し、その検索の結果として、該当する辞書コンテンツの辞書名情報１２ａＮを読出し表示部１８に一覧表示する（ステップＳ２０３）。
【００４１】
なお、ステップＳ２０１において、文字入力以外の操作があった場合は、それを上記ステップＳ２０１で判断し、辞書名情報の絞り込み処理を終了してメインルーチンである図２の処理に戻る。
【００４２】
図８（Ａ）は、複数辞書見出し語検索モードで文字としてアルファベットを入力する場合の表示部１８における具体的な初期画面を例示するものである。
【００４３】
表示部１８では、その第１行目で「複数辞書アルファベットで検索」なる文字列を表示すると同時に、画面の略下半分でも「複数辞書」を対象とし、「アルファベットで検索」することを、開いた辞書やその上で浮かぶ立体のアルファベットの図柄と共に文字で強調して表示している。
【００４４】
さらに第２乃至第４行目では、その他の検索モードである「例文検索」「成句検索」と併記して「見出し語検索」が選択され、当該「見出し語検索」での文字入力を促している。
【００４５】
図８（Ｂ）は、上記第２行目で「見出し語検索」により文字列「ｇｅｔ」が入力され、４文字目の入力を促している過程を示す（見出し語文字列入力１８ａ）。この時点で、すでに入力された文字列「ｇｅｔ」を見出し語内に含む辞書コンテンツが、「英和（英和辞典）」「英語類語（英語類語辞典）」「国語（国語辞典）」「旅ひと（海外旅行ひとこと辞典）」「医学（医学用語辞典）」「医略語（医学用語略語辞典）」及び「全辞書」であることを辞書名情報一覧表示１８ｂにより表している。
【００４６】
上記「全辞書」は、その時点で辞書名情報一覧表示１８ｂ内に表示されている他の辞書名の辞書コンテンツ全てを対象として見出し語Ｗに対する辞書情報Ｄを表示させることを意味している。
【００４７】
上記ステップＳ１０２での辞書名絞り込み処理により、見出し語として文字列が入力されるにつれて、対象となる辞書名が順次絞り込まれていく。
【００４８】
ここで文字入力以外の操作があった時点で、それを上記図３のステップＳ２０１で判断し、図３の処理を一旦終了してメインルーチンである図２に戻る。
【００４９】
図２では、辞書名絞り込み処理後に辞書名情報一覧表示１８ｂ中の辞書名情報のいずれかが選択されたか否かを判断する（ステップＳ１０３）。
【００５０】
ここで辞書名情報の選択以外のキー操作が表示部１８でなされたと判断した場合、及び何ら選択がなされなかった場合には、その状況に対応した他の処理を実行するが、本実施形態とは直接関係しないためにその説明を省略する。
【００５１】
図８（Ｃ）は、上記図８（Ｂ）で示した状態からさらに進んで、見出し語文字列入力１８ａでは文字列「ｇｅｔｏｆｆ」が入力されて７文字目の入力を促すと共に、辞書名情報一覧表示１８ｂで「英語類語」「旅ひと」及び「全辞書」を表示し、そのうちの「旅ひと」がユーザの操作するペンＰの先端で選択操作されようとしている状態を表している。
【００５２】
なお、辞書名の選択に関しては、上記図８（Ｃ）で示したようにペンＰの先端やユーザの手指、あるいはこの電子辞書装置１０が専用のスタライスペンを備えている場合にそのスタライスペンでタッチ操作するものとしてもよいし、入力部１７のカーソルキー１７ｄ操作により所望の辞書名が選択されるまで画面中のポインタを移動させ、所望の辞書名がポインタで選択されている状態から決定キー１７ｅを操作してもよい。
【００５３】
上記ステップＳ１０３で辞書名情報一覧表示１８ｂ中の辞書名情報のいずれかが選択されたと判断した場合、次いでその選択された内容に応じた選択辞書見出し語検索処理を実行する（ステップＳ１０４）。
【００５４】
図４は、上記ステップＳ１０４の選択辞書見出し語検索処理の詳細を示すサブルーチンである。  
同図では、まず選択された辞書名の辞書コンテンツに対し、入力された検索文字列と先頭側が一致する見出し語Ｗを検索してその結果を一覧表示する（ステップＳ３０１）。
【００５５】
次いで、同見出し語Ｗを含む他の辞書コンテンツが存在するか否かを、辞書コンテンツ１２ａ１，１２ａ２，…を検索して判断する（ステップＳ３０２）。
【００５６】
ここで、他の辞書コンテンツにも対応する見出し語Ｗが存在すると判断した場合にのみ、同時に同見出し語Ｗが存在する他の辞書名情報を合わせて表示部１８で一覧表示する（ステップＳ３０３）。
【００５７】
このような表示状態から、さらに続けて入力部１７の文字キー１７ｂにより文字列の追加入力があるか否かを判断する（ステップＳ３０４）。ここでさらに文字入力があった場合には、それをステップＳ３０４で判断して、上記ステップＳ３０１からの処理を繰返し実行する。
【００５８】
また、文字入力がないままに他の操作、例えば上記図８に示したようにその時点で辞書情報Ｄを表示している以外の辞書名の選択があった場合には、この図４のサブルーチンの処理を終了し、メインルーチンである図２の処理に戻る。
【００５９】
図２では、その時点で表示している見出し語Ｗのうちのいずれかが選択されたか否かを判断し（ステップＳ１０５）、選択されなければ再び上記ステップＳ１０３からの処理に戻る。
【００６０】
なお、見出し語Ｗの選択に関しては、ペンＰの先端やユーザの手指、あるいはこの電子辞書装置１０が専用のスタライスペンを備えている場合にそのスタライスペンでタッチ操作するものとしてもよいし、入力部１７のカーソルキー１７ｄ操作により所望の見出し語Ｗが選択状態になるまで反転表示される見出し語Ｗを移動させ、所望の見出し語Ｗが反転表示されている状態から決定キー１７ｅを操作してもよい。
【００６１】
また、上記ステップＳ１０５で、表示している見出し語Ｗのうちのいずれかが選択されたと判断した場合には、続いて選択した見出し語に対する表示処理を実行する（ステップＳ１０６）。
【００６２】
図５は、上記ステップＳ１０６の選択した見出し語に対する第１の表示処理の詳細を示すサブルーチンである。  
同図では、まず選択された見出し語Ｗに対応する辞書情報Ｄを当該辞書コンテンツから読出して表示部１８で表示する（ステップＳ４０１）。
【００６３】
次いで、同見出し語Ｗを含む他の辞書コンテンツが存在するか否かを、辞書コンテンツ１２ａ１，１２ａ２，…を検索して判断する（ステップＳ４０２）。
【００６４】
ここで、他の辞書コンテンツにも対応する見出し語Ｗが存在しないと判断した場合には、以上でこの図５のサブルーチンを終えて、メインルーチンである上記図２の処理に戻る。
【００６５】
また、上記ステップＳ４０２で同一の見出し語Ｗを有する辞書情報Ｄが他の辞書コンテンツにも存在すると判断した場合には、同時に選択した見出し語と同じ見出し語を含む他の辞書コンテンツの辞書名情報を一覧表示する（ステップＳ４０３）。
【００６６】
図８（Ｄ）は、上記図８（Ｃ）の状態から辞書名「旅ひと」が選択操作された後の表示部１８での画面内容を例示している。同図（Ｄ）では、「海外旅行ひとこと辞典」の辞書コンテンツで入力文字列「ｇｅｔｏｆｆ」を含む２つの見出し語Ｗとして  
「Ｇｅｔ  ｏｆｆ  ｍｙ  ｂａｃｋ！」  
「ｇｅｔ  ｏｆｆ  ｗｏｒｋ．」  
を検索して一覧表示すると共に、アルファベット順で先に位置する見出し語Ｗである「Ｇｅｔ  ｏｆｆ  ｍｙ  ｂａｃｋ！」を反転表示して選択状態であることを示し、これに対応する辞書情報Ｄを表示している。
【００６７】
同時に、上記ステップＳ４０２で同一の見出し語を含む他の辞書コンテンツがあると判断することで、上記２つの見出し語Ｗの下部で、上記入力文字列「ｇｅｔｏｆｆ」を含む見出し語Ｗが存在する他の辞書コンテンツとしてその辞書名情報「英語類語」「全辞書」を一覧表示しており、そのうちの「英語類語」がユーザの操作するペンＰの先端で選択操作されようとしている状態を表している。
【００６８】
この表示状態からさらに、他の辞書名が選択されたか否かを判断する（ステップＳ４０４）。辞書名が選択されない状態では、以上でこの図５のサブルーチンを終了し、メインルーチンである上記図２の処理に戻る。図２のメインルーチンでは、複数辞書見出し語検索モードでの第１の選択見出し語表示処理を終えたことで、一通の処理を終えたものとする。
【００６９】
また、図５の上記ステップＳ４０４で他の辞書名が選択されたと判断した場合には、次いで辞書データベース１２ａでその選択された辞書コンテンツで選択された見出し語に対応する辞書情報Ｄを読出し、表示部１８にて表示させた後（ステップＳ４０５）、上記ステップＳ４０３からの処理を実行する。
【００７０】
図９（Ａ）は、上記図８（Ｄ）の表示状態からその時点で表示している辞書名「旅ひと」の辞書情報Ｄに代えて、他の辞書名「英語類語」が選択された場合の表示画面を示す。同図（Ａ）では、「英語類語辞典」の辞書コンテンツで入力文字列「ｇｅｔｏｆｆ」を含む４つの見出し語Ｗとして  
「ｇｅｔ  ｏｆｆ」  
「ｇｅｔ  ｏｆｆ  Ｏ」  
「ｇｅｔ  ｏｆｆ  ｔｈｅ  ｇｒｏｕｎｄ」  
「ｇｅｔ  ｏｆｆ  ｗｉｔｈ  Ｏ」  
を検索してそれぞれ辞書名と共に一覧表示すると共に、アルファベット順で先頭に位置する見出し語Ｗである「ｇｅｔ  ｏｆｆ」を反転表示して選択状態であることを示し、これに対応する辞書情報Ｄを表示している。
【００７１】
同時に、上記４つの見出し語Ｗの下部で、上記入力文字列「ｇｅｔｏｆｆ」を含む見出し語Ｗが存在する他の辞書コンテンツとしてその辞書名情報「旅ひと」「全辞書」を一覧表示しており、そのうちの「全辞書」がユーザの操作するペンＰの先端で選択操作されようとしている状態を表している。
【００７２】
ここで辞書名「全辞書」が操作されると、上記ステップＳ４０４でそれを判断し、上記４０５で選択された辞書コンテンツで選択された見出し語に対応する辞書情報Ｄを読出し、表示部１８にて表示させる。
【００７３】
この場合、選択された辞書コンテンツは「全辞書」、すなわちここでは「英語類語辞典」及び「海外旅行ひとこと辞典」の双方となるので、これら２つの辞書コンテンツの当該見出し語Ｗ「ｇｅｔｏｆｆ」を先頭一致で含む全ての見出し語Ｗとそれに対応する辞書情報Ｄを読出して表示部１８で表示させる。
【００７４】
図９（Ｂ）は、上記「全辞書」の選択に応じて、入力文字列「ｇｅｔｏｆｆ」を含む５つの見出し語Ｗとして  
「ｇｅｔ  ｏｆｆ」  
「ｇｅｔ  ｏｆｆ  Ｏ」  
「ｇｅｔ  ｏｆｆ  ｔｈｅ  ｇｒｏｕｎｄ」  
「ｇｅｔ  ｏｆｆ  ｗｉｔｈ  Ｏ」  
「Ｇｅｔ  ｏｆｆ  ｍｙ  ｂａｃｋ！」  
を検索してそれぞれ辞書名と共に一覧表示すると共に、先頭に位置する見出し語Ｗである「ｇｅｔ  ｏｆｆ」を反転表示して選択状態であることを示し、これに対応する辞書情報Ｄを表示している。
【００７５】
このとき、第１行目では検索条件を示す「複数アルファベットで検索」の文字列表示の右端で、上記見出し語Ｗとしてまだ表示されていないものがあることを示すと共に、残りの見出し語Ｗを表示させるべく画面スクロールを促すために、カーソルキー操作のための記号「↓」を表している。
【００７６】
ここで表示部１８の第１行目の記号「↓」に対応して入力部１７のカーソルキー１７ｄで下方向のキー操作を繰り返し行なうと、反転表示される見出し語Ｗが順次下方にシフトする。最下部に位置する見出し語Ｗである「Ｇｅｔ  ｏｆｆ  ｍｙ  ｂａｃｋ！」が反転表示された状態でさらに下方向のキー操作を行なうと、辞書名「旅ひと」の「ｇｅｔ  ｏｆｆ  ｗｏｒｋ．」を表示し、これを反転表示する。
【００７７】
上記カーソルキー操作を行なわず、図９（Ｂ）の状態で選択状態である見出し語Ｗ「ｇｅｔ  ｏｆｆ」を選択すると、図９（Ｃ）に示すように、その時点で表示されていた「英語類語辞典」での見出し語Ｗ「ｇｅｔ  ｏｆｆ」とそれに対応した辞書情報Ｄとを表示部１８の第２行目以降全面を使用して表示する。
【００７８】
このとき、表示部１８の第１行目では、辞書名「英語類語辞典」の文字列表示の右端で、上記辞書情報Ｄとしてまだ表示されていない内容があることと、残りの内容を表示させるべく画面スクロールを促すために、カーソルキー操作のための記号「↓」を表している。
【００７９】
また、上記図２のメインルーチンのステップＳ１０１で、上記複数辞書見出し語検索モードが設定されていないと判断した場合には、続いて単数辞書見出し語検索モードが設定されているか否かを判断する（ステップＳ１０７）。
【００８０】
ここで単数辞書見出し語検索モードが設定されていないと判断した場合には、その状況に対応した他の処理を実行するが、本実施形態とは直接関係しないためにその説明を省略する。
【００８１】
また、上記ステップＳ１０７で単数辞書見出し語検索モードが設定されていると判断すると、次いでその時点で選択されている辞書コンテンツに基づいた単数辞書見出し語検索処理に移行する（ステップＳ１０８）。
【００８２】
図６は、上記ステップＳ１０８の単数辞書見出し語検索処理の詳細を示すサブルーチンである。
【００８３】
同図では、まず入力部１７の文字キー１７ｂにより１文字が入力されたか否かを判断する（ステップＳ５０１）。
【００８４】
文字入力があった場合、直ちに上記ステップＳ５０１でそれを判断して、検索文字列の最後尾に当該入力された文字を追加して表示する（ステップＳ５０２）。
【００８５】
次いで、現在選択している辞書コンテンツ内で、追加した文字列を合わせた検索文字列と先頭が一致する見出し語Ｗを検索し、その検索の結果として、該当する見出し語Ｗ以下定数を表示部１８に一覧表示する（ステップＳ５０３）。
【００８６】
なお、ステップＳ５０１において、文字入力以外の操作があった場合は、それを上記ステップＳ５０１で判断して、単数辞書見出し語検索処理を終了してメインルーチンである図２の処理に戻る。
【００８７】
図１０（Ａ）は、単数辞書見出し語検索モードで文字としてひらがなを入力する場合の表示部１８における具体的な初期画面を例示するものである。
【００８８】
表示部１８では、その第１行目で単数辞書として選択されている、例えば「国語辞典」なる文字列を表示すると同時に、画面の略下半分でも「国語辞典」を対象としていることを、積み上げた辞書類の図柄と共に文字で強調して表示している。
【００８９】
さらに第２乃至第４行目では、その他の検索モードである「逆引き検索」「慣用句検索」と併記して「見出し語検索」が選択され、当該「見出し語検索」での文字入力を促している。
【００９０】
図１０（Ｂ）は、上記第２行目で「見出し語検索」により文字列「かふんしょう」が入力され、７文字目の入力を促している過程を示す（見出し語文字列入力１８ａ）。この時点で、「国語辞典」の辞書コンテンツ中、すでに入力された文字列「かふんしょう」を先頭一致で見出し語内に含む見出し語Ｗとして  
「かふん-しょう［花粉症］」  
を表示し、併せて以下定数、例えば７つの見出し語Ｗ  
「かふん-じょうほう［花粉情報］」  
「か-ぶんすう［仮分数］」  
「かふん-ばいよう［花粉培養］」  
「かぶん-ぶつ［可分物］」  
「かべ［壁］」  
「か-へい［火兵］」  
を検索して一覧表示すると共に、先頭に位置する見出し語Ｗである「かふん-しょう［花粉症］」を反転表示して選択状態であることを示し、これに対応する辞書情報Ｄを表示している。
【００９１】
加えて、第１行目では辞書名「国語辞典」の文字列表示の右端で、上記見出し語Ｗとしてまた表示されていないものがあることを示すとともに、残りの見出し語Ｗを表示させるべく画面スクロールを促すために、カーソルキー操作のための記号「↑」及び「↓」を表している。
【００９２】
このような表示状態から、上記ステップＳ５０１からの処理に戻って、入力部１７の文字キー１７ｂにより文字列の追加入力があるか否かを判断する。
【００９３】
文字入力がないままに他の操作、例えば見出し語Ｗとして表示しているいずれか１つが選択されると、この図６のサブルーチンの処理を終了し、メインルーチンである図２の処理に戻る。
【００９４】
図２では、その時点で表示している見出し語Ｗのうちのいずれかが選択されたか否かを判断する（ステップＳ１０９）。ここで、見出し語Ｗのうちのいずれかも選択されずにその他のキー操作が行なわれた場合には、その状況に対応した他の処理を実行するが、本実施形態とは直接関係しないためにその説明を省略する。
【００９５】
また、上記ステップＳ１０９で、表示している見出し語Ｗのうちのいずれかが選択されたと判断した場合には、続いて選択した見出し語に対する表示処理を実行する（ステップＳ１０６）。
【００９６】
選択した見出し語に対する表示処理としては、上述した図５のサブルーチンを実行する。  
図５は、選択見出し語に対する第１の表示処理のサブルーチンである。
【００９７】
同図では、まず選択された見出し語Ｗに対応する辞書情報Ｄを当該辞書コンテンツから読出して表示部１８で表示する（ステップＳ４０１）。
【００９８】
次いで、同見出し語Ｗを含む他の辞書コンテンツが存在するか否かを、辞書コンテンツ１２ａ１，１２ａ２，…を検索して判断する（ステップＳ４０２）。
【００９９】
ここで、他の辞書コンテンツにも対応する見出し語Ｗが存在しないと判断した場合には、以上でこの図５のサブルーチンを終えて、メインルーチンである上記図２の処理に戻る。
【０１００】
また、上記ステップＳ４０２で同一の見出し語Ｗを有する辞書情報Ｄが他の辞書コンテンツにも存在すると判断した場合には、同時に選択した見出し語と同じ見出し語を含む他の辞書コンテンツの辞書名情報を一覧表示する（ステップＳ４０３）。
【０１０１】
図１０（Ｃ）は、「国語辞典」での見出し語Ｗ「かふん-しょう［花粉症］」とそれに対応した辞書情報Ｄとを表示部１８の第２行目以降全面を使用して表示した場合を示す。
【０１０２】
このとき、上記ステップＳ６０２で同一の見出し語Ｗを含む他の辞書コンテンツがあると判断することで、上記辞書情報Ｄの下部、表示部１８の最下行で、上記入力文字列「かふん-しょう［花粉症］」と同じ見出し語Ｗが存在する他の辞書コンテンツとしてその辞書名情報「百科事典」「医学」「和英」「漢方薬」を一覧表示しており、そのうちの「百科事典」がユーザの操作するペンＰの先端で選択操作されようとしている状態を表している。
【０１０３】
この表示状態からさらに、他の辞書名が選択されたか否かを判断する（ステップＳ４０４）。辞書名が選択されない状態では、以上でこの図５のサブルーチンを終了し、メインルーチンである上記図２の処理に戻る。図２のメインルーチンでは、複数辞書見出し語検索モードでの第２（または第１）の選択見出し語表示処理を終えることで、一通の処理を終えるものとする。
【０１０４】
また、図５の上記ステップＳ４０４で他の辞書名が選択されたと判断した場合には、次いでその時点で選択している見出し語と同じ見出し語を含む辞書コンテンツで、選択された見出し語に対応する辞書情報Ｄを読出し、表示部１８にて表示させた後（ステップＳ４０５）、上記ステップＳ４０３からの処理を実行する。
【０１０５】
図１０（Ｄ）は、上記図１０（Ｃ）の表示状態からその時点で表示している辞書名「国語辞典」の辞書情報Ｄに代えて、他の辞書名「百科事典」が選択された場合の表示画面を示す。同図（Ｄ）では、「百科事典」の辞書コンテンツで入力文字列「かふん-しょう［花粉症］」を見出し語Ｗとして、対応する辞書情報Ｄを表示している。
【０１０６】
このとき、表示部１８の第１行目では、辞書名「国語辞典」の文字列表示の右端で、上記辞書情報Ｄとしてまだ表示されていない内容があることと、その内容を表示させるべく画面スクロールを促すために、カーソルキー操作のための記号「↓」を表している。
【０１０７】
同時に、上記辞書情報Ｄの下部である最下行で、上記入力文字列「かふん-しょう［花粉症］」を含む見出し語Ｗが存在する他の辞書コンテンツとしてその辞書名情報「国語辞典」「医学」「和英」「漢方薬」を一覧表示している状態を表している。
【０１０８】
なお、選択した見出し語に対する表示処理としては、上記図５のサブルーチンで示した処理に代えて、図７で示すような処理を実行してもよい。
【０１０９】
図７は、上記図５で説明した選択見出し語に対する第１の表示処理のサブルーチンに代えて実施する、第２の表示処理の詳細を示すサブルーチンである。
【０１１０】
同図では、まず選択された見出し語Ｗに対応する辞書情報Ｄを当該辞書コンテンツから読出して表示部１８で表示する（ステップＳ６０１）。
【０１１１】
次いで、同見出し語Ｗを含む他の辞書コンテンツが存在するか否かを、辞書コンテンツ１２ａ１，１２ａ２，…を検索して判断する（ステップＳ６０２）。
【０１１２】
ここで、他の辞書コンテンツにも対応する見出し語Ｗが存在しないと判断した場合には、以上でこの図７のサブルーチンを終えて、メインルーチンである上記図２の処理に戻る。
【０１１３】
また、上記ステップＳ６０２で同一の見出し語Ｗを有する辞書情報Ｄが他の辞書コンテンツにも存在すると判断した場合には、選択した見出し語と同じ見出し語を含む他の辞書コンテンツがあることを示す辞書名情報として「他の辞書」の辞書名情報を表示する（ステップＳ６０３）。
【０１１４】
図１１（Ａ）は、上記図１０（Ｃ）での表示例に代えて、「国語辞典」での見出し語Ｗ「かふん-しょう［花粉症］」とそれに対応した辞書情報Ｄとを表示部１８の第２行目以降全面を使用して表示した場合を示す。
【０１１５】
このとき、表示部１８の第１行目では、辞書名「国語辞典」の文字列表示の右側略中央で、上記入力文字列「かふん-しょう［花粉症］」を含む見出し語Ｗが存在する他の辞書コンテンツがあることを辞書名情報「他の辞書」として表示しており、その辞書名情報がユーザの操作するペンＰの先端で選択操作されようとしている状態を表している。
【０１１６】
この表示状態からさらに、辞書名「他の辞書」が選択されたか否かを判断する（ステップＳ６０４）。「他の辞書」が選択されない状態では、以上でこの図７のサブルーチンを終了し、メインルーチンである上記図２の処理に戻る。図２のメインルーチンでは、複数辞書見出し語検索モードでの第２（または第１）の選択見出し語表示処理を終えたことで、一通の処理を終えたものとする。
【０１１７】
また、図７の上記ステップＳ６０４で「他の辞書」が選択されたと判断した場合には、次いで選択された見出し語Ｗと同じ文字列を含む見出し語Ｗが存在する他の辞書コンテンツの辞書名情報を表示部１８で一覧表示する（ステップＳ６０５）。
【０１１８】
図１１（Ｂ）は、上記図１１（Ａ）で示した表示状態から辞書名「他の辞書」が選択された場合の表示部１８での画面を例示する。この場合、上記図１１（Ａ）の表示画面上に、上記辞書名「他の辞書」の操作に対応して「他辞書見出し語検索」なる名称の別ウィンドウＯＷを表示する。
【０１１９】
この「他辞書見出し語検索」ウィンドウＯＷでは、他の辞書コンテンツとして、その辞書名情報「Ａ．百科事典」「Ｂ．医学用語辞典」「Ｃ．和英辞典」「Ｄ．漢方薬辞典」を一覧表示している。
【０１２０】
こうして他の辞書名として実際に同様の見出し語Ｗを有する辞書名を一覧表示した状態で、それらのうちのいずれかの辞書名が選択操作されるのを待機する（ステップＳ６０６）。
【０１２１】
そして、いずれかの辞書名を選択する操作がなされたと判断すると、次いでその操作により選択した辞書コンテンツから、選択されている文字列を含む見出し語Ｗに対応して記憶されている辞書情報Ｄを読出し、表示部１８で表示させる（ステップＳ６０７）。
【０１２２】
図１１（Ｃ）は、上記図１１（Ｂ）の表示画面で「Ａ．百科事典」を選択操作した場合の表示画面を例示する。同図（Ｃ）では、第１行目の辞書名「百科事典」の文字列表示の右側略中央で、上記入力文字列「かふん-しょう［花粉症］」を含む見出し語Ｗが存在する他の辞書コンテンツがあることを辞書名情報「他の辞書」として表示している。
【０１２３】
また、表示部１８の第２行目以降全面では、百科事典での見出し語Ｗ「かふん-しょう［花粉症］」とそれに対応した辞書情報Ｄとを表示している。
【０１２４】
このとき、表示部１８の第１行目では、その辞書名情報がユーザの操作するペンＰの先端で選択操作されようとしている状態を表している。
【０１２５】
こうして選択した他の辞書の辞書コンテンツに応じて辞書情報Ｄを表示した状態から、上記ステップＳ６０３の処理に戻る。
【０１２６】
上記図５及び図７のいずれの処理を行なう場合でも、選択した辞書名の辞書コンテンツ以外に同一の見出し語Ｗに対応する辞書コンテンツがある場合には、その辞書名を表示部１８の画面中に併設して表示させ、その表示が選択された場合には随時他の辞書コンテンツへの切換えを簡易に行なうものとした。
【０１２７】
このように本実施形態によれば、複数の辞書コンテンツを搭載している電子辞書装置１０で、見出し語Ｗからユーザが所望する適切な辞書コンテンツをきわめて簡易な操作で選択して当該見出し語Ｗの検索を実行させることが可能となる。
【０１２８】
また、上記実施形態では、見出し語を入力するにあたって、入力部１７の文字キー１７ｂで１文字入力する毎にその入力された内容によって辞書コンテンツの候補の一覧表示を更新するものとした。これにより、ユーザが所望する辞書の種類を徐々に絞り込むことができ、効率的な辞書検索を実現できる。
【０１２９】
さらに本実施形態では、入力した文字列と先頭側が一致する文字列を含む見出し語Ｗを対象として辞書検索を実行するものとしたので、多数に渡る辞書コンテンツがある場合でも辞書の検索に要する処理をより簡略化して効率的な検索が実行できる。
【０１３０】
なお、本発明は上記先頭側の文字列の一致に限定するものではなく、見出し語Ｗの末尾側での一致、あるいは中間での一致、もしくは文字列中の位置に拘わらずに一致判断を行なうものとしてもよい。
【０１３１】
また、上記実施形態では、一旦辞書コンテンツを選択して任意の文字列により見出し語Ｗに対応する辞書情報Ｄを表示させた状態であっても、当該見出し語Ｗに対応する他の辞書コンテンツがある場合には、さらに他の辞書コンテンツでも同様の見出し語Ｗがあることを辞書名情報で画面端部に表示し、その辞書名情報が選択操作された場合には直ちに選択された他の辞書コンテンツでの見出し語Ｗに対応する辞書情報Ｄに移行できるものとしたので、複数の辞書コンテンツを搭載している電子辞書装置１０で、一旦辞書コンテンツを選択した状態であっても、見出し語Ｗからユーザが所望する他の辞書コンテンツをきわめて簡易な操作で選択して当該見出し語Ｗの検索を実行させることが可能となり、より多方面から当該見出し語Ｗの検索を実行させることが可能となる。
【０１３２】
なお、上記実施形態ではいずれね、辞書コンテンツを表示部１８上で表す情報として辞書名あるいは辞書名を短縮して簡易化した文字列を辞書名情報として表示させる場合について説明したが、本発明はこれに限らず、例えば英和（Ｅｎｇｌｉｓｈ／Ｊａｐａｎｅｓｅ）辞典であれば「Ｅ／Ｊ」のような文字あるいは国旗などをデザイン化したもの、医学用語辞典であれば聴診器や注射器などの医学用具をデザイン化したものなど、文字列ではなく図柄化したアイコンを予め辞書名情報１２ａＮとして記憶し、必要に応じて表示部１８で一覧表示するものとすれば、より視覚的、且つ簡潔に辞書名を表現することができる。
【０１３３】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【符号の説明】
【０１３４】
１０…電子辞書装置、１１…ＣＰＵ、１２…記憶部、１２ａ１，１２ａ２，１２ａ３…辞書コンテンツ、１２ａＮ…辞書名情報、１２ｂ…各種処理プログラム、１３…外部記憶媒体、１４…記憶媒体読み書き部、１５…通信制御部、１６…作業部、１７…入力部、１７ａ…機能キー、１７ｂ…文字キー、１７ｃ…認識キー、１７ｄ…カーソルキー、１７ｅｅ…決定キー、１７ｆ…タッチパネル、１８…表示部、１８ａ…見出し語文字列入力、１８ｂ…辞書名情報一覧表示、２０…Ｗｅｂサーバ、Ｎ…インターネット、Ｐ…ペン。
【図１】
2010204944.tif 000003
【図２】
2010204944.tif 000004
【図３】
2010204944.tif 000005
【図４】
2010204944.tif 000006
【図５】
2010204944.tif 000007
【図６】
2010204944.tif 000008
【図７】
2010204944.tif 000009
【図８】
2010204944.tif 000010
【図９】
2010204944.tif 000011
【図１０】
2010204944.tif 000012
【図１１】
2010204944.tif 000013